(57)【要約】【要約書】【課題】  ＬＥＤの発光効率低下を抑制するとともに、ＬＥＤの損傷を防ぎ、明るい長寿命の液晶表示ができるＬＥＤバックライトを有する液晶表示装置を提供する。【解決手段】  液晶表示パネル１と、該液晶表示パネル１の外側に配置されるとともに、表示領域に対応するように配置された導光板４、該導光板４の端面に配置した光源体とを備えたバックライトとから構成される液晶表示装置において、前記光源体は、絶縁基板８と、該絶縁基板８の一方主面に複数配列実装され且つ発光ダイオードチップが収容された発光ダイオードモジュール７とからなるとともに、前記絶縁基板８の一方主面と前記発光ダイオードチップ７との間隙に流動性の高い接着剤１８を介在させた。【選択図】    図１
2006039341.tif 000002
【特許請求の範囲】
【請求項１】
表示電極、配向膜を有する１対の基板間に液晶を介在させて、複数の画素領域で表示領域を構成してなる液晶表示パネルと、
該液晶表示パネルの一方の基板の外側に配置されるとともに、表示領域に対応するように配置された導光板、該導光板の端面に配置した光源体とを備えたバックライトとから構成される液晶表示装置において、
前記光源体は、絶縁基板と、該絶縁基板の一方主面に複数配列実装され且つ発光ダイオードチップが収容された発光ダイオードモジュールとからなるとともに、前記絶縁基板の一方主面と前記発光ダイオードモジュールとの間隙に流動性の高い接着剤を介在させたことを特徴とする液晶表示装置。
【請求項２】
前記絶縁基板の裏面には、放熱シートを配置したことを特徴とする請求項１記載の液晶表示装置。
【発明の詳細な説明】
【技術分野】
【０００１】
この発明は、液晶表示パネルとバックライトからなる液晶表示装置に関し、特に、バックライトの光源に発光ダイオード（ＬＥＤ）を利用した液晶表示装置に関するものである。
【背景技術】
【０００２】
従来、液晶表示装置の表示方式のうち、透過型、半透過型の液晶表示装置は、液晶表示パネルと液晶表示パネルに透過する光を供給するバックライトが配置されて構成されている。一般に、バックライトは、光源と導光板とからなり、光源としてはＣＣＦＬ（冷陰極管）と称される小型の蛍光管を使用している。また、導光板は、液晶表示パネル側の主面（表面）は、液晶表示パネルの表示領域に対応するように対向し、この主面の反対側の主面（裏面）側には、光を表面側に拡散・反射する拡散部が形成されて構成されている。ＣＣＦＬ光源は導光板の端面に配置され、導光板の端面から入射されたＣＣＦＬの光は、導光板内に伝達され、導光板の裏面側で拡散・反射され、導光板から液晶表示パネルに向けて出射され、線光源から均一な面状光源へと変換し、液晶表示装置の光源として利用されている。
【０００３】
しかしこのＣＣＦＬ光源は、放電管の中にＨｇ（水銀）を封入し、放電により励起された水銀から放出される紫外線がＣＣＦＬ管壁の蛍光体にあたり可視光に変換させている。このため、環境面を考慮すると、有害な水銀の使用抑制により、代替光源の使用が求められている。またＣＣＦＬを点灯させる為には、高電圧高周波点灯回路が必要であり、高周波ノイズが発生する為、ノイズ対策が別途必要なばかりでなく、低温点灯しにくい等の問題があった。
【０００４】
一方、新たな光源として、点光源という特徴を持つ発光ダイオードチップ（ＬＥＤ）が収容された発光ダイオードモジュール（ＬＥＤ光源）を光源に利用したバックライトが開発された。このＬＥＤ光源を利用したバックライト（ＬＥＤバックライト）は、低価格化と発光効率向上、環境規制に伴い、液晶表示パネルのバックライトとして普及しつつある。同時に、液晶表示装置の高輝度化・大型化（表示領域の大型化）に伴い、ＬＥＤ光源を複数構成することの要求がますます高まりを見せている。
【０００５】
従って、高輝度・大型液晶表示パネルに用いられるＬＥＤバックライトとするために、点光源であるＬＥＤ光源を変換して、均一に発光する面状光源（導光板の出射表面で均一な光に変換された光源）とする必要があり、たとえば、導光板の裏面の拡散部の材料、構造を制御するとともに、ＬＥＤ光源の指向性に合わせて、最適な位置にＬＥＤ光源を配置する必要がある。
【０００６】
ここで最も大きな課題は、ＬＥＤ光源の発熱によりＬＥＤ光源及びその周辺温度が上昇することで、ＬＥＤ光源の発光効率や寿命が低下することである。ＬＥＤ光源は最近の改善により発光効率の向上はなされているものの、発光効率は現状で約１０％程度であり、残りの９０％は熱として放出されることになる。即ち、ＬＥＤを光源としたバックライトにおいては、この発生熱がＬＥＤ及びＬＥＤを実装した基板に蓄熱されＬＥＤやその周辺温度の上昇に伴い、ＬＥＤ自身の発光効率の低下を招くことになる。また寿命に関しては、たとえば、日亜化学製のトップビュー型ＬＥＤ光源（ＮＳＣＷ４５５）の順電流ＩＦ＝２０ｍAにおける推定寿命（輝度半減期）は、周囲温度が２５℃において、寿命は約１２０００時間であり、５０℃では約５５００時間しかなく、ＬＥＤの周辺温度の上昇に伴って、寿命が短くなることが分かる。さらにはＬＥＤで発生する熱はＬＥＤやそのＬＥＤを実装した絶縁基板の配線などを破損させる原因にもなりえる。しかも、バックライトの高輝度化のために、ＬＥＤ実装数を増加させると、その発熱量が増大することから、一層、この発熱を無視することが出来ない。
【０００７】
ＬＥＤで発生する熱に関する従来技術として、例えば特開２００３−２８１９２４（特許文献１）に開示されているように発光ダイオードは一般的には、ジャンクション温度が上昇すると、この発光効率が低下する不都合があり、たとえばＧａＮのジャンクションの温度が１℃上昇すると発光効率が１％程度低下することがある。発光ダイオードの温度上昇を抑制するため、電源供給端子を有する線状光源用基板である配線基板の片面に発光ダイオードを実装し、箱状金属ケース内に配された絶縁基板の電極を覆うが如く設けた放熱用絶縁樹脂層と該放熱用絶縁樹脂層上に、発光素子発光面を除いて導電性接着剤を箱状金属ケース内に充填した放熱構造の照明装置が知られている。
【特許文献１】特開２００３−２８１９２４号
【発明の開示】
【発明が解決しようとする課題】
【０００８】
しかしながら、液晶表示装置に用いられ、液晶表示パネルの裏面側に配置されるＬＥＤバックライトは、ポリイミドまたはポリエステルからなるフレキシブル基板又はガラスエポキシからなる絶縁基板の片面上に銅等の金属配線を設け、その配線上にＬＥＤ光源を実装し、その絶縁基板の裏面（ＬＥＤ光源を実装する面の裏面）を液晶表示装置の筐体またはヒートシンク基板に面接触載置、または両面接着テープ固定した構造をしていた。
【０００９】
しかし、表面実装型のＬＥＤ光源の場合はＬＥＤ光源の両側に設けた金属接続端子と絶縁基板の配線接続端子とを、所定位置合わせし、半田リフロー方法等により接続しており、端子間を密着させるべく、ＬＥＤ光源のＬＥＤチップを収納する収納ケースと絶縁基板間には空洞が発生してしまい、この収納ケースと絶縁基板間の熱伝導が悪いため、主にＬＥＤチップで発生した熱は、前記接続端子を通し、絶縁基板に放熱されていた。またこの絶縁基板の裏面と液晶表示装置の筐体またはヒートシンク基板との面接触においては、その表面の微細な凹凸のために面接触は不十分で、熱伝導が極めて小さい空気層が介在することになっている。また、両面接着テープ固定の場合も、両面接着テープの熱伝導率が小さいため、絶縁基板からヒートシンク基板への熱伝導が不十分であり、ＬＥＤ光源またはその絶縁基板に蓄熱され、ＬＥＤ光源の温度上昇により、ＬＥＤ光源の発光効率の低下、さらには、発光ダイオードチップが短時間で損傷するという問題が発生してしまう。
【００１０】
またＬＥＤ光源を実装した実装基板面に熱伝導性樹脂を充填しＬＥＤ光源の温度上昇を抑制する技術が開示されているが、ＬＥＤチップを収納する収納ケースから絶縁基板への熱伝導、及び絶縁基板からヒートシンク基板からの放熱が不十分であることから、ＬＥＤ光源の温度上昇により、まだＬＥＤ光源の発光効率の低下する問題が発生していた。特に、上述のように導電性樹脂を充填する場合には、熱伝導性樹脂の充填工数が多く、しかも、内部に気泡をかみ込むこと無く充填し、硬化することは非常に困難であった。
【００１１】
本発明は上述の問題点に鑑みて案出されたものであり、その目的は、ＬＥＤバックライトを備えた液晶表示装置において、簡単で安価な構造によりＬＥＤチップを収納する収納ケースからなる発光ダイオードモジュールと絶縁基板の熱伝導を改善し、ＬＥＤ光源の温度上昇を小さくすることにより、ＬＥＤ光源の発光効率低下を抑制するとともに、ＬＥＤチップの損傷を防ぎ、明るい長寿命の液晶表示ができるＬＥＤ光源を有する液晶表示装置を提供する。
【００１２】
さらに絶縁基板と液晶表示装置の筐体またはヒートシンク基板との面接触熱伝導を改善し、ＬＥＤ光源の発生熱をヒートシンク基板へ効率よく熱伝導させ、ＬＥＤ光源を実装した絶縁基板の蓄熱を低減し、ＬＥＤ光源の温度上昇を小さくすることにより、明るい長寿命の液晶表示ができるＬＥＤ光源を有する液晶表示装置を提供する。
【課題を解決するための手段】
【００１３】
表示電極、配向膜を有する１対の基板間に液晶を介在させて、複数の画素領域で表示領域を構成してなる液晶表示パネルと、
該液晶表示パネルの一方の基板の外側に配置されるとともに、表示領域に対応するように配置された導光板、該導光板の端面に配置した光源体とを備えたバックライトとから構成される液晶表示装置において、前記光源体は、絶縁基板と、該絶縁基板の一方主面に複数配列実装され且つ発光ダイオードチップが収容された発光ダイオードモジュールとからなるとともに、前記絶縁基板の一方主面と前記発光ダイオードモジュールとの間隙に流動性の高い接着剤を介在させたことを特徴とする。
【００１４】
さらに、絶縁基板の裏面には、放熱シートを配置したことを特徴とする。
【発明の効果】
【００１５】
本発明の液晶表示装置では、ＬＥＤチップを収納する収納ケースと絶縁基板間に流動性の高い接着剤を介在させる。即ち、ＬＥＤモジュールと絶縁基板との間の熱伝導を効率的に行うことができる。これは、従来の導電性樹脂のように、樹脂内に気泡が存在して、熱伝導の妨げとなることがないためである。また、接着剤の供給作業においても、接着剤の毛細管現象を利用して簡単に確実に供給することができ、しかも、絶縁基板に発光ダイオードモジュールを強固に固定することができる。
【００１６】
これにより、ＬＥＤ光源及びＬＥＤ光源を実装した絶縁基板の蓄熱を低減し、ＬＥＤ光源の温度上昇を小さくすることにより、ＬＥＤ光源の発光効率低下を抑制するとともに、ＬＥＤ光源の損傷を防ぎ、明るい長寿命の液晶表示ができるＬＥＤバックライトを有する液晶表示装置を提供することができる。
【００１７】
また、絶縁基板の裏面側にヒートシンク基板へ効率よく熱伝導させるための放熱シートを配置しているため、液晶表示装置の全裏面領域に設けられたヒートシンク基板または筐体に効率良く拡散放熱させることができる。この放熱シートとして熱伝導率の大きいゴム弾性の放熱シートを圧接挟持することにより、放熱シートにより絶縁基板とヒートシンク基板の当接面の微細な凹凸に対応し、放熱シートをなじませ、当接面の熱伝導が極めて小さい空気層を排除することができ、ＬＥＤ光源からヒートシンク基板へ効率よく熱伝導させることができる。
【発明を実施するための最良の形態】
【００１８】
以下、本発明の液晶表示装置を図面に基づいて詳説する。
【００１９】
図１は、本発明の液晶表示装置の概略断面図を示す。図２に、液晶表示パネル面から見た表面斜視図を示す。図３に、液晶表示パネル裏面から見た裏面斜視図を示す。図４に、絶縁基板にＬＥＤ光源を搭載した絶縁基板斜視図を示す。図５に、放熱シート斜視図を示す。
【００２０】
図６に、本発明のＬＥＤモジュールであるＬＥＤ光源の概略断面図を示す。図７に、本発明の他の液晶表示装置の概略断面図を示す。図８に、液晶表示パネルの概略断面図を示す。
【００２１】
本発明の液晶表示装置は、液晶表示パネル１、フレーム６、ＬＥＤバックライト（２〜５、７〜１０、１８）とから主に構成されている。
【００２２】
液晶表示パネル１は、他方の基板である下部側透明基板１１、一方の基板である上部側透明基板１２、両透明基板１１、１２との間には、シール部１４によって周囲が囲まれた液晶層１３が配置されている。また、下部透明基板１１の内面には、例えば、表示電極、配向膜などが形成されており、また、上部透明基板１２内面にも表示電極、配向膜が形成されている。尚、図８では下部透明基板の内面の構造物を単に符号１５で示し、また、上部透明基板の構造物を単に符号１６で示している。
【００２３】
この下部透明基板１１の内部構造物を構成する表示電極と上部透明基板１２の内部構造物を構成する表示電極は、互いに対向してマトリックス状に配列された表示画素領域を形成している。
【００２４】
なお、各表示画素領域を構成する１画素は、たとえば透過型液晶表示装置においては、表示電極が全て透明電極で構成されてバックライトの光を透過しえる光透光部となり、半透過型液晶表示装置においては、一部が反射金属膜で構成された光反射部と、一部がバックライトの光を透過しえる光透過部を並設している。即ち、この半透過型液晶表示装置では、表示面側から入射した外部の光を利用して、画素領域の光反射部で反射し表示面側に戻すとともに、また、バックライトの光を透過させてその光を表示面側に与えている。これにより、外光が強い場合には、反射型モードで表示して、外光が弱い時には、透過型モードで表示を行っている。
【００２５】
また、下部透明基板１１の外面および上部透明基板１２の外面には、図では省略しているが、偏光板、位相差板、必要に応じて散乱板が配置されている。
【００２６】
また、カラー表示を達成するために、下部透明基板１１の内部構造物１５または上部透明基板１２の内部構造物１６のいずれかの各画素領域に対応したカラーフィルタを形成してもよい。
【００２７】
また、表示駆動方式によっては、下部透明基板１１の内部構造物１５の各画素領域にスイッチング手段を形成し、画素領域ごとに表示を制御するようにしてもよい。
【００２８】
また、上部透明基板１２や下部透明基板１１のいずれか一方の基板、たとえば形状の大きい基板、たとえば下部透明基板１１の外周領域には、下部透明基板１１の内面構造体１５のうち表示電極やスイッチング素子に接続する配線パターンを設け、この配線パターンに所定信号、所定電圧を供給する駆動回路や外部の駆動回路に接続する入力端子を設けても構わない。なお、配線パターンを形成しない側の基板、たとえば、上部透明基板１２の表示電極は、両基板１１、１２間の間隔に配置した導電性フィラーを介して下部透明基板側の配線パターンに接続しても構わない。
【００２９】
下部透明基板１１や上部透明基板１２は、ガラス、透光性プラスチックなどが例示できる。また、内部構造物１５、１６をする表示電極は、たとえば透明導電材料であるＩＴＯや酸化錫などで形成され、また、反射部を構成する反射金属膜はアルミニウムやチタンなどで構成されている。また、配向膜はラビング処理したポリイミド樹脂からなる。また、カラーフィルタを形成する場合には樹脂に染料や顔料など添加して、画素領域ごとに赤、緑、青の各色のフィルタを形成し、さらに各フィルタ間や画素領域の周囲を遮光目的で黒色樹脂を用いてもよい。
【００３０】
このような下部透明基板１１や上部透明基板１２は、シール部１４を介して貼り合わせ圧着し、そのシール部１４の一部の開口よりネマチック液晶などからなる液晶材を注入し、しかる後に、その注入口を封止する。この貼り合わせに際し、両透明基板１１、１２に配列した双方の表示電極を両者が直交するようになし、表示電極の交差部分が各画素領域となり、この画素領域が集合して表示領域となる。
【００３１】
このようにして、液晶表示パネル１が構成されている。この液晶表示パネル１の他方の透明基板である下部基板１１の外部側には、ＬＥＤバックライトが配置されている。
【００３２】
ＬＥＤバックライトは、図１に示すように、ＬＥＤ光源７、導光板４、レンズシート２、拡散シート３、反射シート５、絶縁基板８、放熱シート９、ヒートシンク基板１０、接着剤１８  とからなっている。
【００３３】
そして、導光板４の一方の主面（光が出射される面）が、液晶表示パネル１の表示領域に対向するように配置されている。
【００３４】
ＬＥＤバックライトを構成する導光板４は、透明樹脂基板からなり、その樹脂成分中に光散乱部材を含有させても構わない。導光板４の他方の主面には、光が拡散・反射される反射部が形成されている。この反射部は、導光板中を伝搬する光を一方主面側に放射させるためのものであり、他方主面に直接、拡散・反射させるための溝を形成したり、さらに、他方主面に拡散・反射機能を有する塗膜を形成して構わない。
【００３５】
絶縁基板８は、ガラス布基材エポキシ樹脂基板やセラミック基板からなり、ＬＥＤ光源７の実装面には、ＬＥＤ光源に所定駆動電流を供給する金属配線が形成されている。そして、この金属配線に導電部材を介して、ＬＥＤ光源７（の電極）が複数、所定間隔をおいて実装されることになる。
【００３６】
ＬＥＤ光源７は、図６に示す断面図のように、半導体材料からなる発光部、アノード電極、カソード電極を有するＬＥＤチップ７ａと、耐熱樹脂材料やセラミック材料などからなる収納ケース７ｂとから構成されている。収納ケース７ｂの光が出射される面には、すり鉢状キャビティー７ｄが形成されており、このキャビティー７ｄの底部にＬＥＤチップ７ａが配置・収容されている。このＬＥＤチップ７ａのアノード電極、カソード電極は、収納ケース７ｂの光出射面以外の外面に形成した端子部７ｃに接続されている。尚、すり鉢状のキャビティーの内壁面に反射塗料が塗布されており、また、キャビティー内にはＬＥＤチップ７ａを埋設するように透光性樹脂や蛍光性樹脂が充填されている。
【００３７】
次に、ＬＥＤ光源７から発生する熱の放熱構造について説明する。
【００３８】
まず、上述の構造のＬＥＤ光源７は絶縁基板８の金属配線上に所定間隔をおいて、列状に複数配置実装されている。そして、この絶縁基板８は、実装したＬＥＤ光源７の発光面が導光板４の端面に対向する位置関係となるように設置されている。即ち、絶縁基板８の表面は、導光板４側に位置する。そして、絶縁基板８の裏面は金属製のヒートシンク基板１０またはヒートシンク機能を有する筐体（本件ではヒートシンク基板という）に対向することになる。このとき、表面実装型のＬＥＤ光源７の場合は、例えば、ＬＥＤ光源７の両側に設けた端子部７ｃ、７ｃと絶縁基板８の所定の配線接続端子とを、所定位置に位置合わせし、半田リフロー方法等により接続される。即ち、ＬＥＤ光源７のＬＥＤチップ７ａを収納する収納ケース７ｂと絶縁基板８間には熱伝導率が悪い空気の空洞が発生してしまう。本発明では、この空洞部にディスペンサー塗布方法等により、流動性の高い（粘度の低い）接着剤１８が供給される。例えば、ＬＥＤ収納ケースの片側から塗布含浸させている。この流動性の高い接着剤１８はＬＥＤ光源７を絶縁基板８上に実装し、その後、流動性の高い金属配線等を腐食させない材料であることが重要である。
【００３９】
このような構造となっているため、液晶表示パネル１の表示情報の視認性を向上させるため、液晶表示装置のバックライトを駆動（ＬＥＤ光源７が点灯駆動）させた時、その発光とともに、熱が発生するものの、ＬＥＤ光源７で発生した熱は、ＬＥＤ光源７のＬＥＤチップ７ａを収納ケース７ｂと絶縁基板８の間隙の接着剤１８および端子部７ｃを通じて効率よく絶縁基板８に熱伝導することができる。これは、流動性の高い接着剤１８であるため、収納ケース７ｂと絶縁基板８の間隙の接着剤１８には、気泡などの空気の層が一切形成されることのないため、この部分での熱伝導が飛躍的に向上する。
【００４０】
しかも、ＬＥＤ光源７と絶縁基板８との機械的な接合が、端子部７ｃの接合のみならず、収納ケース７ｂと絶縁基板８との間に配置した接着剤１８によっても達成されるため、ＬＥＤ光源７と絶縁基板８との機械的な接合強度も向上し、耐衝撃性に優れた液晶表示装置となる。
【００４１】
さらにＬＥＤ光源７の熱を、効率よくヒートシンク基板１０や筐体などに伝導させるため、絶縁基板８の他方主面側とヒートシンク基板１０や筐体との間に熱伝導率の大きいゴム弾性の放熱シート９に配置することが望ましい。尚、放熱シート９の厚みについては、絶縁基板８とヒートシンク基板１０の間隙より少し厚くにしておくことが重要である。また絶縁基板８はフレーム６に設けられた突起により、ＬＥＤ光源７が実装された絶縁基板８が固定されている。
【００４２】
このように放熱シート９を絶縁基板８とヒートシンク基板１０で圧接挟持することにより、絶縁基板８とヒートシンク基板１０の当接面の微細な凹凸に対応し、放熱シート９をなじませ、当接面の熱伝導が極めて小さい空気層（凹凸に起因する空気の層）を排除することができ、ＬＥＤ光源７からヒートシンク基板１０へ効率よく熱伝導させるとともに、例えば、液晶表示装置の全裏面領域に設けられたヒートシンク基板１０または筐体を通して効率良く拡散放熱させることができる構造になっている。
【００４３】
さらに、絶縁基板８に伝わった熱は、上述のように放熱シート９を介して途中熱伝導の悪い空気層を介すること無く、ヒートシンク基板１０に熱伝導し、放熱されることになる。
【００４４】
したがって、ＬＥＤ光源７で発生した熱は外部に有効に放熱されることになり、ＬＥＤ光源７や絶縁基板８に蓄熱されにくくなるため、ＬＥＤ光源７やその周辺の温度上昇を有効に抑えることができる。
【００４５】
これらの作用は、液晶表示パネル１の表示領域が大型化して、導光板４の形状が大型化して、大型化した導光板４に十分な光を供給すべく、絶縁基板８に多数のＬＥＤ光源７を搭載するようになればなるほど、その効果が大きくなる。
【００４６】
図７は、本発明の他の液晶表示装置の断面構造図である。この実施例では、液晶表示装置のヒートシンク基板１０である筐体が、概略直方体形状をなし、導光体４の厚みが略均一な平板を用いている。このように筐体の形状が完全な直方体形状とすることにより、筐体の一部をヒートシンク基板として兼用することが非常に容易となる。
【実施例】
【００４７】
放熱シート９に、住友スリーエム（株）の型番No.5509を使用し、ヒートシンク基板１０に、厚み２mmのアルミニウムを使用し、接着剤１８に東レ・ダウコーニング・シリコーン(株)のＳＥ９１７６Ｌを使用し、絶縁基板８と放熱シート９とヒートシンク基板１０が密着するように固定した。
【００４８】
ここで各使用材料の熱伝導率は、ガラスエポキシからなる絶縁基板が０．４５Ｗ／ｍ・Ｋ、放熱シートが５Ｗ／ｍ・Ｋ、接着剤が０．１７Ｗ／ｍＫ、ヒートシンク基板であるアルミニウムが２３６Ｗ／ｍ・Ｋである。空気の熱伝導率は０．０２４Ｗ／ｍＫであり、例示する接着剤は空気に比べると大きな熱伝導効果がある。また接着剤はＬＥＤチップ収納ケースと絶縁基板の間隙に接着剤が空気排除し含浸できる範囲で、絶縁微粒子材料等を含有し熱伝導率をさらに向上したほうが好ましい。
【００４９】
ここで、絶縁基板８や放熱シート９の熱伝導率はヒートシンク基板であるアルミニウムに比べて非常に小さいため、熱伝導を改善するためには、絶縁基板８と放熱シート９の厚みを限り無く薄くする方法が有効である。また、ヒートシンク基板１０としては、マグネシウム、鉄であってもよい。ちなみに、マグネシウムの熱伝導率は、１５７Ｗ／ｍ・Ｋ，鉄の熱伝導率は８３．５Ｗ／ｍ・Ｋであり、放熱性が悪い場合は、板厚を増すか、放熱フィンを設ければよい。
【００５０】
そして、表示領域の大きさとして４．７インチサイズの液晶表示パネル１を用い、ＬＥＤ光源７を絶縁基板８に１６個配列実装し、常温（２５℃）状態にて各ＬＥＤ光源７に電流を２０ｍA流し、バックライト内のＬＥＤ光源７の周辺温度の測定を行った。その結果、ＬＥＤ光源７の周辺温度は４０℃に抑えることができ、ＬＥＤ光源の推定寿命はおよそ７５００時間まで伸ばせることがわかった。また、ＬＥＤ光源の発光効率については、微小ではあるが改善の傾向が見られた。
【００５１】
一方で、接着剤１８と放熱シート９を除いた場合には、ＬＥＤ光源７の周辺温度は４４℃になり、ＬＥＤ光源の推定寿命はおよそ６６００時間にとどまることがわかった。
【００５２】
上記実験確認結果から、ＬＥＤ光源７のＬＥＤチップ７ａの収納ケース７ｂと絶縁基板８の間隙に接着剤１８を塗布し、放熱シート９を絶縁基板８とヒートシンク基板１０に密着させて、熱伝導を改善し、ＬＥＤ光源７の発生熱をヒートシンク基板１０へ効率良く放熱させることにより、ＬＥＤ光源７及び絶縁基板８の蓄熱を低減し、ＬＥＤ光源及びその周辺の温度上昇を小さくすることにより、ＬＥＤ光源の寿命低下と発光効率低下を抑制でき、長寿命で明るい液晶表示装置を実現できる。
【図面の簡単な説明】
【００５３】
【図１】本発明の液晶表示装置の概略断面図である。
【図２】本発明の液晶表示装置の液晶パネル面から見た表面斜視図である。
【図３】本発明の液晶表示装置の液晶パネル裏面から見た裏面斜視図である。
【図４】本発明の液晶表示装置の絶縁基板にＬＥＤ光源を搭載した絶縁基板斜視図である。
【図５】本発明の液晶表示装置の放熱シート斜視図である。
【図６】本発明の液晶表示装置に用いるＬＥＤモジュール（ＬＥＤ光源）の構造断面図である。
【図７】本発明の他の液晶表示装置の概略断面図である。
【図８】本発明の液晶表示素子の概略断面図である。
【符号の説明】
【００５４】
１・・・・・液晶表示パネル
２・・・・・レンズシート
３・・・・・拡散シート
４・・・・導光板
５・・・・反射シート
６・・・・フレーム
７・・・・ＬＥＤ光源
８・・・・絶縁基板
９・・・・放熱シート
１０・・・・ヒートシンク基板
１８・・・・接着剤
【図１】
2006039341.tif 000003
【図２】
2006039341.tif 000004
【図３】
2006039341.tif 000005
【図４】
2006039341.tif 000006
【図５】
2006039341.tif 000007
【図６】
2006039341.tif 000008
【図７】
2006039341.tif 000009
【図８】
2006039341.tif 000010